(57)【特許請求の範囲】
【請求項１】
ノズルヘッドを備えた内容器と、内容器を出し入れ可能に収納し蓋体が開閉可能に連結された外容器とからなり、
外容器は一端に開口部を有する略有底筒状をなし、内容器を支持する中皿と、中皿を上下動可能に支持し、内容器を収納状態とノズルヘッドが押し下げ可能に露出する吐出可能状態とに移動させる繰り出し機構とを備え、
蓋体はヒンジ部により外容器に連結されており、
繰り出し機構は、蓋体が内容器の肩部によって押し開かれノズルヘッドより離隔する吐出可能状態まで内容器が上昇可能に設定され、
内容器の外周面には、中皿の内周面に設けられた縮径突部に係合可能な係合突条が設けられ、係合突条と縮径突部が互いに乗り越え可能であるとともに取り外し可能な形状に設定され、内容器を付け替え可能な容器としたことを特徴とする吐出容器。
【請求項２】
蓋体は、ヒンジ部に設けられたばねにより閉蓋方向に付勢されていることを特徴とする請求項１記載の吐出容器。
【請求項３】
蓋体は、ヒンジ部により外容器と連結されて一体に成形されているとともに、内面側には外容器の開口部と係合する係止部が形成されていることを特徴とする請求項１記載の吐出容器。
【請求項４】
繰り出し機構は、互いに回動可能に嵌合する２つの筒状体を備え、
２つの筒状体は、いずれか一方に螺旋状溝が、他方に軸方向に延びるスリット溝が形成されているとともに、それぞれ外容器の外周面に露出する把持周面を有し、
中皿外周面に突設された嵌合突起が、螺旋状溝およびスリット溝に嵌合していることを特徴とする請求項１〜３のいずれかに記載の吐出容器。
【請求項５】
蓋体の内面側には、肩部に当接可能に突出した凸部がヒンジ部寄りに形成されていることを特徴とする請求項１〜４のいずれかに記載の吐出容器。
【請求項６】
肩部は、内周側にノズルヘッドの外周面が摺接する案内面を形成するとともに、外周側に外容器の内周面に接するか、またはわずかな隙間を有する姿勢保持面を形成していることを特徴とする請求項１〜５のいずれかに記載の吐出容器。
【発明の詳細な説明】
【技術分野】
【０００１】
本発明は、ノズルヘッドを備えた吐出容器に関し、とくに、ノズルヘッドを備えた内容器を出し入れ可能に収納する外容器を有する吐出容器に関するものである。
【背景技術】
【０００２】
エアゾール容器やポンプ式吐出容器などのノズルヘッドを備えた吐出容器として、不使用時にはノズルヘッドを覆うオーバーキャップを容器の肩部に嵌合装着し、使用時には該オーバーキャップを容器から取り外すようにしたものが広く知られている（例えば、特許文献１参照）。
【先行技術文献】
【特許文献】
【０００３】
【特許文献１】特開２００６−８２１５号公報
【発明の概要】
【発明が解決しようとする課題】
【０００４】
しかしながら、上記特許文献１記載の吐出容器では、カバーキャップＥを装着するには、カバーキャップＥの嵌合突条２７が容器側の取付キャップＤの嵌合突条１９を乗り越えて嵌合するようにカバーキャップＥを押し込み、逆に、カバーキャップＥを取り外すには、嵌合突条２７が嵌合突条１９を乗り越えるように引き抜かなければならない。
この嵌合突条２７と嵌合突条１９の嵌合が弱いと、容器を落としたりした衝撃でカバーキャップＥが不用意に外れてしまうという問題があり、逆に嵌合が強いと、カバーキャップＥを簡単に取り外すことができないという問題があった。
【０００５】
また、カバーキャップＥは容器と別体なため、使用時に置き忘れて紛失してしまうことがあった。
さらに、美麗な外観が求められる化粧料用の吐出容器などでは、使用後に使い捨てとされることは、コストが高くなるばかりでなく省資源の点からも改善が求められていた。
【０００６】
本発明は、上記問題を解決することを課題とし、蓋体が容器と一体に取り付けられて開閉が容易であるとともに、付け替え可能な安価な容器を利用可能な外観に優れる吐出容器を提供することを目的とする。
【課題を解決するための手段】
【０００７】
本発明は、上記の課題を解決するため、吐出容器として、ノズルヘッドを備えた内容器と、内容器を出し入れ可能に収納し蓋体が開閉可能に連結された外容器とからなり、外容器は一端に開口部を有する略有底筒状をなし、内容器を支持する中皿と、中皿を上下動可能に支持し、内容器を収納状態とノズルヘッドが押し下げ可能に露出する吐出可能状態とに移動させる繰り出し機構とを備え、蓋体はヒンジ部により外容器に連結されており、繰り出し機構は、蓋体が内容器の肩部によって押し開かれノズルヘッドより離隔する吐出可能状態まで内容器が上昇可能に設定され、内容器の外周面には、中皿の内周面に設けられた縮径突部に係合可能な係合突条が設けられ、係合突条と縮径突部が互いに乗り越え可能であるとともに取り外し可能な形状に設定され、内容器を付け替え可能な容器としたことを特徴とする構成を採用する。
【０００８】
吐出容器の実施形態として、蓋体は、ヒンジ部に設けられたばねにより閉蓋方向に付勢されていることを特徴とする構成を採用する。
また、吐出容器の別実施形態として、蓋体は、ヒンジ部により外容器と連結されて一体に成形されているとともに、内面側には外容器の開口部と係合する係止部が形成されていることを特徴とする構成を採用する。
【０００９】
吐出容器の具体的実施形態として、繰り出し機構は、互いに回動可能に嵌合する２つの筒状体を備え、２つの筒状体は、いずれか一方に螺旋状溝が、他方に軸方向に延びるスリット溝が形成されているとともに、それぞれ外容器の外周面に露出する把持周面を有し、中皿外周面に突設された嵌合突起が、螺旋状溝およびスリット溝に嵌合していることを特徴とする構成、また、蓋体の内面側には、肩部に当接可能に突出した凸部がヒンジ部寄りに形成されていることを特徴とする構成、さらに、肩部は、内周側にノズルヘッドの外周面が摺接する案内面を形成するとともに、外周側に外容器の内周面に接するか、またはわずかな隙間を有する姿勢保持面を形成していることを特徴とする構成を採用する。
【発明の効果】
【００１０】
本発明の吐出容器は、ノズルヘッドより外径の大きい肩部が設けられた内容器と、内容器を収納状態とノズルヘッドが露出する吐出可能状態とに移動させる繰り出し機構を有する外容器とを備え、蓋体がヒンジ部により外容器に連結されており、内容器が繰り出し機構により上昇したとき、肩部によって蓋体がノズルヘッドより離隔するように押し開かれた吐出可能状態となる構成としたから、蓋体を紛失することがなく、内容器を繰り出し機構によって出し入れするのにともなって蓋体を開閉することができ、内容器を付け替え容器とすることができるので、外容器のみを美麗にして内容器を安価で省資源なものとすることができるという効果を奏する。
【００１１】
吐出容器の実施形態として、蓋体がヒンジ部に設けられたばねにより閉蓋方向に付勢されているものでは、内容器を繰り出すだけで容易に開蓋することができるとともに、内容器を繰り下げて収納状態にすれば、ばね力によって自動的に閉蓋し、閉蓋のための別途の操作を必要とせず使い勝手がよいものとなる。
また、吐出容器の別実施形態として、蓋体がヒンジ部により外容器と連結されて一体に成形されているものでは、複雑なヒンジ機構を必要とせず、部品も少なく安価に製造できるという効果を奏する。
【図面の簡単な説明】
【００１２】
【図１】本発明の吐出容器の第１実施例を示す図であり、収納状態における（ａ）は上面図、（ｂ）は断面側面図である。
【図２】第１実施例吐出容器の螺旋案内筒を示す図であり、（ａ）は一部を破断した側面図、（ｂ）は背面図である。
【図３】（ａ）は第１実施例吐出容器の外筒を示す上面図および半断面側面図、（ｂ）は同中皿を示す上面図および半断面側面図である。
【図４】第１実施例吐出容器の内容器を繰り出す操作の途中経過を示す断面側面図である。
【図５】第１実施例吐出容器の吐出可能状態を示す断面側面図である。
【図６】第１実施例吐出容器の内容器を付け替える過程を示す図である。
【図７】第１実施例吐出容器の要部拡大図であり、（ａ）は図１の要部Ｅ、（ｂ）は図５の要部Ｆ、（ｃ）は図６の要部Ｇのそれぞれ拡大図である。
【図８】本発明の吐出容器の第２実施例を示す図であり、収納状態における（ａ）は上面図、（ｂ）は断面側面図である。
【図９】第２実施例吐出容器の螺旋案内筒を示す上面図および一部を破断した側面図である。
【図１０】第２実施例吐出容器の吐出可能状態を示す断面側面図である。
【図１１】第２実施例吐出容器の内容器を付け替える過程を示す図である。
【発明を実施するための形態】
【００１３】
次に、本発明の吐出容器について、実施例を示した図面を参照して説明する。
【実施例１】
【００１４】
図１〜７において、Ａは内容器、Ｂは外容器、Ｃは外容器Ｂに連結された蓋体である。
内容器Ａは、ノズルヘッド１がステム２によって連結された図示しないピストンを有するポンプ４を内蔵した内容器本体３を有するポンプ式吐出容器である。
内容器本体３は、有底筒状の胴部５と、胴部５の上部に縮径して連設する口部６からなり、胴部５の外周下部の所定高さには、係合突条７が突設されている。
【００１５】
口部６にはねじ８を有する肩部材９が螺着され、肩部材９は、内周面にねじ８を設けたねじ筒１０と、ねじ筒１０上端に連設して口部６上端面に当接する上壁１１と、上壁１１上部に立設され内周面がノズルヘッド１の外周面に摺接する案内面を形成する案内筒１２とからなっている。
案内筒１２は、上端から外周側へ折り返して垂設された保持筒部１３を有し、保持筒部１３の外周面はノズルヘッド１の外径より大きく、内容器Ａが上昇した吐出可能状態では、蓋体Ｃを押し開いてノズルヘッド１から離隔し、ノズルヘッド１の操作の邪魔にならないようにする役割を果たす。
また、保持筒部１３の外周面は、後述する外容器Ｂの内周面に接するか、またはわずかな隙間を有するように形成され、内容器Ａの姿勢を保持する役割をも果たす。
なお、肩部９は、吐出可能状態でノズルヘッド１を自由にするように蓋体Ｃを大きく押し開く形状とされればよく、必ずしもノズルヘッド１の外径より大径の保持筒部１３を必要とするわけではない。
【００１６】
外容器Ｂは、有底筒状の外筒２０と、外筒２０の内周側に回動可能に嵌合する螺旋案内筒２１とを備えている。
図２，３に示すように、外筒２０の内周面には、軸方向に延びる縦スリット溝２３が外筒２０の軸中心をはさんで対称的に向かい合うように２本設けられ、螺旋案内筒２１には螺旋溝２４が同様に対称的に２本、下部から所定高さまで内外周面を貫通して設けられている。
螺旋溝２４の上端部には、螺旋状部分から水平方向に移行した平坦溝部２８が設けられている。平坦溝部２８は、中皿３０が容易に下降しないように、下面がわずかにくぼみを有する凹凸形状であったり、端部に向かってわずかに下り勾配となっていることが望ましい。
螺旋案内筒２１は、外容器Ｂの内周面を形成するとともに、開口部上端で折り返して外方に露出した把持周面を有する把持筒部２５を有している。
把持筒部２５の下端部には、外筒２０の上端付近に設けられた係止凹条２６に係合する係止凸部２７が設けられ、外筒２０と螺旋案内筒２１との軸方向相対移動を阻止するとともに、互いに回動可能に係合している。
【００１７】
外容器Ｂの内周面、すなわち螺旋案内筒２１の内周面には、内容器Ａを支持して上下に摺動する中皿３０が嵌挿され、中皿３０の外周面から軸中心に関して対称的に突出する２つの嵌合突起３１が螺旋溝２４を貫通して縦スリット溝２３に嵌入している。
縦スリット溝２３および螺旋溝２４は、略円筒状をなす嵌合突起３１の径より若干大きい幅を有しており、嵌合突起３１が摺動可能に嵌合している。
外筒２０および螺旋案内筒２１、中皿３０の嵌合突起３１が、内容器Ａを外容器Ｂ内から繰り出す繰り出し機構を構成している。
なお、本実施例では、内周側に螺旋溝２４を有する螺旋案内筒２１を配し、外周側に縦スリット溝２３を有する外筒２０を配した構造としているが、逆に内周側に縦スリット溝２３を、外周側に螺旋溝２４を配する筒構成としてもよく、適宜組み合わせ配置することができる。
【００１８】
中皿３０の内周面上部には、内容器Ａの係合突条７と係合する縮径突部３２が設けられ、内容器Ａを上方から押し込むと、係合突条７が縮径突部３２を乗り越えて嵌合し、内容器Ａを中皿３０に保持する。
内容器Ａを付け替え容器として利用する場合には、縮径突部３２が拡縮しやすいように、縮径突部３２を有する部位を含む中皿３０の上部にすり割り等を設けてもよい。
また、縮径突部３２が拡径したときに、中皿３０の外周面が螺旋案内筒２１の内周面に押しつけられることがないよう、縮径突部３２を有する部位を含む中皿３０上部の外周面に肉抜き部３３を設けることが望ましい。
さらに、内容器Ａを中皿３０に取り付ける際に、ノズルヘッド１の向きが所定の方向となるように、内容器Ａと外容器Ｂとに位置あわせのための印をつけたり、中皿Ａの内周面形状を所定の方向でしか内容器Ａが嵌入しない形状とするなどの位置決め手段が設けられることが望ましい。
【００１９】
外容器Ｂの上端、すなわち螺旋案内筒２１の開口周縁の所定箇所には、蓋体Ｃを開閉可能に連結するヒンジ部４０が設けられている。
ヒンジ部４０には、蓋体Ｃのヒンジ連結片４１が嵌入する切欠き部４２が径方向に設けられ、ヒンジ連結片４１は切欠き部４２の両側部とヒンジピン４３によって回動可能に連結されている。
ヒンジ連結片４１と切欠き部４２の一方の側部との間にねじりばね４４が配され、ねじりばね４４の両端はそれぞれヒンジ連結片４１と切欠き部４２の一側部に連結されて、蓋体Ｃを閉蓋方向に付勢している。
ねじりばね４４は、押し上げれば軽く開蓋する程度の弱いばね力に設定されている。
【００２０】
蓋体Ｃは、ヒンジ連結片４１に連設して外容器Ｂの開口、すなわち螺旋案内筒２１の開口を覆う頂壁４５を具え、頂壁４５の内側面には、ヒンジ連結片４１から連続して径方向に延びる凸部４６が垂設されている。
凸部４６は、内容器Ａが繰り出されたときに、肩部材９に当接して蓋体Ｃを大きく開き、ノズルヘッド１が蓋体Ｃから離隔して自由に上下動することができる吐出可能状態を維持することができる形状に設計されている。
ヒンジ連結片４１の外周面には突起状のストッパー４７が突設され、切欠き部４２の底部には、ストッパー４７が嵌合可能なストッパー凹部４８が設けられている。
なお、本実施例では、閉蓋状態を維持する手段として蓋体Ｃを閉鎖方向に付勢するばね部材を用いたが、これに限定されることなく、内容器Ａを繰り出す力で開蓋できる程度の力で閉蓋状態を保持することができる手段であれば、その他適宜の手段が採用可能である。
【００２１】
次に、本実施例の使用態様と作用効果について図面を参照しながら説明する。
まず、外容器Ｂを組み立てるには、嵌合突起３１を外筒２０の縦スリット溝２３に嵌入しながら中皿３０を外筒２０内に挿入する。
その後、蓋体Ｃが組み付けられた螺旋案内筒２１を外筒２０内周に嵌挿しながら、中皿３０の嵌合突起３１が螺旋溝２４に嵌入するように回転し、嵌合突起３１が螺旋溝２４に嵌入し螺旋案内筒２１の下端が外筒２０の底部に接するようになると、係止凸部２７が係止凹条２６に嵌合して、外容器Ｂの組み立てが完了する。
螺旋案内筒２１を回転させるには、片方の手で外筒２０を持ち、他方の手で把持筒部２５をもって、相対的に回転させればよい。
【００２２】
組み立てられた外容器Ｂに内容器Ａを取り付けるには、図６、図７（ｃ）に示すように、蓋体Ｃを大きく開けると、ストッパー４７が切欠き部４２底部のストッパー凹部４８に嵌合して、開蓋状態を維持する。
その後、外筒２０と螺旋案内筒２１とを相対回転させ、内容器Ａを嵌挿しやすいように中皿３０を最高位置まで上昇させる（図６参照）。
この状態で内容器Ａを図示しない位置決め手段にしたがってノズルヘッド１が所定の方向になるようセットして押し込むと、内容器Ａの係合突条７が中皿３０の縮径突部３２を乗り越えて係合し、中皿３０に支持される。
このとき、中皿３０が最高位置にあると、嵌合突起３１は螺旋溝２４の平坦溝部２８に嵌合しているので、中皿３０に負荷がかかっても容易に下方に動き出すことはない。
【００２３】
その後、外筒２０と螺旋案内筒２１とを先ほどと逆方向に相対回転させて内容器Ａを外容器Ｂ内に収納し、蓋体Ｃを閉蓋方向に少し動かすと、ストッパー４７がストッパー凹部４８から外れて、蓋体Ｃはねじりばね４４によって閉蓋される。
図１に示すように、中皿３０に位置決めされて嵌入された内容器Ａは、下降して外容器Ｂ内に収容された収納状態となったとき、ノズルヘッド１がヒンジ部４０の反対側を向くようになっている。
このように、ノズルヘッド１の向きを設定する理由は、後述するように、内容器Ａが回転しながら上昇して吐出可能状態となるには、蓋体Ｃが吐出の邪魔にならないようにノズルヘッド１の向きが設定されなければならず、そのためには収納状態におけるノズルヘッド１の向きも所定方向に設定されていなければならないからである。
【００２４】
収納状態になっている吐出容器から内容器Ａを繰り出して使用するには、外筒２０と螺旋案内筒２１とを相対回転させ、中皿３０とともに内容器Ａを上昇させていく。
図４に示すように、内容器Ａは外筒２０とともに回転しながら、ノズルヘッド１が蓋体Ｃの凸部４６に当接して蓋体Ｃを押し上げ、開蓋していく。
さらに内容器Ａが上昇していくと、ノズルヘッド１に代わって肩部材９が蓋体Ｃを押し上げるようになり、ついには嵌合突起３１が螺旋溝２４の上端まで到達し内容器Ａが最高位置まで上昇したときには、肩部材９が蓋体Ｃを押し開いてノズルヘッド１から離隔した吐出可能状態となる。
【００２５】
この吐出可能状態では、ノズルヘッド１が押し下げられるに十分な高さに上昇しており、蓋体Ｃから離隔するとともに蓋体Ｃが吐出方向と重なって邪魔にならないように内容器Ａの向きが設定されているから、このままノズルヘッド１を押し下げて内容物を吐出することができる。
なお、本実施例では、収納状態でノズルヘッド１がヒンジ部４０の反対側を向き、吐出可能状態でヒンジ部４０と中心角で９０°の向きになる、つまり収納状態から内容器Ａを９０°回転させると吐出可能状態となるように設定されているが、必ずしもこのように設定する必要はなく、蓋体Ｃとの関係でノズルヘッド１の回転に無理がなく、吐出可能状態で蓋体Ｃが邪魔にならない角度範囲とすることができれば、回転角度は適宜決定できる。
【００２６】
本実施例の吐出容器は、使用後に内容器Ａの内容物がなくなったとき、新しい内容器Ａに付け替えることができる。
使用後の内容器Ａを取り外すときには、内容器Ａを取り付けるときと同様に、図６に示すように、蓋体Ｃを大きく開いてストッパー４７をストッパー凹部４８に嵌合して開蓋状態を維持し、使用後の内容器Ａを上方に引き上げると、係合突条７が縮径突部３２を乗り越えて中皿３０から取り外すことができる。
その後、そのままの状態で新たな内容器Ａを取り付ければよい。
【００２７】
このように、本実施例の吐出容器は、蓋体Ｃを閉蓋方向に付勢するねじりばね４４を備えたヒンジ部４０によって外容器Ｂに連結し、内容器Ａを出し入れ可能な繰り出し機構を設けたから、蓋体Ｃを紛失することがないとともに、内容器Ａを繰り出し機構によって出し入れするのにともなって蓋体Ｃを容易に開閉することができる。
また、内容器Ａを付け替え容器とすることができるので、内容器Ａを安価で省資源なものとすることができるとともに、常に美麗な外容器Ｂ内に収納しておくことができるという作用効果を奏する。
【実施例２】
【００２８】
次に、ヒンジ部の構成を変更した第２実施例について説明する。
以下、第１実施例と同一の構成部分には同一の符号を付し、相違点を中心に説明する
【００２９】
図８〜１１において、Ａは内容器、Ｂａは外容器、Ｃａは外容器Ｂａに連結された蓋体である。
内容器Ａは、実施例１と同様で異なるところがないから、説明は省略する。
外容器Ｂａも、縦スリット溝２３を有する外筒２０と、螺旋溝２４を有する螺旋案内筒５０と、縦スリット溝２３と螺旋溝２４の両溝に嵌合する嵌合突起３１を有する中皿３０とを具える点では実施例１と同様であるが、本実施例ではヒンジ部６０の構成が異なることにより、螺旋案内筒５０および蓋体Ｃａの構成が異なっている。
【００３０】
螺旋案内筒５０は、開口上端部に天面壁５１を形成し、天面壁５１の周縁から折り返すように把持筒部５２が垂設されている。
螺旋案内筒５０はヒンジ部６０を介して連設された蓋体Ｃａとともに一体に成形され、ヒンジ部６０は、螺旋案内筒５０の天面壁５１周縁の所定位置で蓋体Ｃａを一体に連結している。
螺旋案内筒５０内周面の開口付近には、わずかに突出した環状突起５３が設けられている。
【００３１】
蓋体Ｃａは、ヒンジ６０に連設し螺旋案内筒５０の開口を覆う頂壁６１と、頂壁６１の内面側に垂設され螺旋案内筒５０の開口内周面に嵌合する係止筒部６２と、ヒンジ部６０寄りに径方向に延びる凸部６３とを具えている。
係止筒部６２には、ヒンジ部６０と反対側に補強リブ６５が内接して設けられ、補強リブ６５を中央にはさんだ両側に、小さい中心角θの円弧範囲に外周面から突出する弧状突起６６が設けられている。
【００３２】
弧状突起６６は螺旋案内筒５０の環状突起５３に係合して蓋体Ｃａの閉蓋状態を維持する。
本実施例では、θは各約１５°程度であるが、内容器Ａを繰り出す力で容易に開蓋できる程度の係合力に抑えることができる範囲で適宜決定することができる。
また、弧状突起６６は必ずしも２箇所に設ける必要はなく、ヒンジ部６０と反対側に一箇所だけ設けてもよく、補強リブ６５についても必ずしも設ける必要はない。
その他の構成は、実施例１と同様である。
【００３３】
次に、本実施例の使用態様と作用効果について図面を参照しながら説明する。
図１１に示すように、内容器Ａを開口部から外容器Ｂａ内に差し入れ、中皿３０に嵌挿して支持し、外筒２０と螺旋案内筒５０とを相対回転させて外容器Ｂａ内に収納するまでは実施例１と同じである。
蓋体Ｃａは、一体成形されたヒンジ部６０で螺旋案内筒５０と連設されており、蓋体Ｃａにはヒンジ部６０による開蓋方向への弱い復元力が働いているから、蓋体Ｃａをヒンジ部６０を中心として閉蓋方向に回転させる。
【００３４】
係止筒部６２が螺旋案内筒５０の開口部に嵌入するようになると、弧状突起６６が開口部の環状突起５３に当接するようになり、さらに蓋体Ｃａを上方から押し込むと、環状突起５３は微少な高さであり、弧状突起６６は小さい円弧範囲に形成されているだけなので、容易に乗り越えて互いに係合し閉蓋状態を保つ（図８参照）。
図８に示された収納状態から外筒２０と螺旋案内筒５０を相対回転すると、実施例１と同様に、内容器Ａは回転しながら上昇を始め、ノズルヘッド１が凸部６３に当接して蓋体Ｃａを押し上げる。
【００３５】
前述のとおり、環状突起５３と弧状突起６６との係合力は抑制されたものなので、蓋体Ｃａは容易に開蓋し、さらに内容器Ａが上昇していくと、肩部材９が蓋体Ｃａを押し開いてノズルヘッド１から離隔するようになり、ついには嵌合突起３１が螺旋溝２４の終端部まで達して吐出可能状態となる（図１０参照）。
その他の本実施例の使用態様および作用は、第１実施例と同様である。
【００３６】
本実施例の吐出容器は、蓋体Ｃａがヒンジ部６０により外容器Ｂａと一体に成形されているので、複雑なヒンジ機構を必要とせず、部品も少なく安価に製造できる。
また、蓋体Ｃａと外容器Ｂａ開口部との係止部を小さい円弧範囲に形成して係合力を制限したので、内容器Ａを繰り出す操作によって蓋体Ｃａを簡単に開けることができるという実施例１にはない効果を奏する。
その他の効果は、第１実施例と同様である。
【産業上の利用可能性】
【００３７】
本実施例の吐出容器は、蓋体を備えた外容器に付け替え用の内容器を収納して持ち運びおよび保管することができ、内容器を繰り出すだけでスマートに使用を開始することができるから、整髪料や洗顔料など化粧品用の吐出容器等として好適に利用できる。
【符号の説明】
【００３８】
Ａ              内容器
Ｂ、Ｂａ        外容器
Ｃ、Ｃａ        蓋体
１              ノズルヘッド
２              ステム
３              内容器本体
４              ポンプ
５              胴部
６              口部
７              係合突条
８              ねじ
９              肩部材（肩部）
１０              ねじ筒
１１              上壁
１２              案内筒
１３              保持筒部
２０              外筒（筒状体）
２１，５０        螺旋案内筒（筒状体）
２３              縦スリット溝（スリット溝）
２４              螺旋溝（螺旋状溝）
２５，５２        把持筒部
２６              係止凹条
２７              係止凸部
２８              平坦溝部
３０              中皿
３１              嵌合突起
３２              縮径突部
３３              肉抜き部
４０，６０        ヒンジ部
４１              ヒンジ連結片
４２              切欠き部
４３              ヒンジピン
４４              ねじりばね
４５，６１        頂壁
４６，６３        凸部
４７              ストッパー
４８              ストッパー凹部
５１              天面壁
５３              環状突起
６２              係止筒部
６５              補強リブ
６６              弧状突起（係止部）
【図１】
0006486147.tif 000002
【図２】
0006486147.tif 000003
【図３】
0006486147.tif 000004
【図４】
0006486147.tif 000005
【図５】
0006486147.tif 000006
【図６】
0006486147.tif 000007
【図７】
0006486147.tif 000008
【図８】
0006486147.tif 000009
【図９】
0006486147.tif 000010
【図１０】
0006486147.tif 000011
【図１１】
0006486147.tif 000012